(57)【要約】【課題】口金の不測の開口を防止すること。【解決手段】開閉部の端部に口金３が設けられ、該口金３に突設された係止具５にて該開閉部の開閉をするバッグであって、上記口金３に該口金３を挟持する挟持部１０を備えた口金押さえ７が設けられる。口金押さえ７は挟持部１０と連結部１１とからなり、挟持部１０は幅の内寸ａが上記口金３の幅の外寸ａ’と略同幅に形成され、かつ表面が被覆材９にて被覆されてなり、連結部１１は一端部が上記挟持部１０に連結されるとともに他端部が上記係止具５に連結される。口金押さえ７にて口金３「閉」のとき該口金３を挟持する。口金押さえ７は挟持部１０が口金３の中心ｃから口金３の一側部の略１／３乃至略１／２の部位に中点を位置するよう設けられる。連結部１１の長さは調節自在である。【選択図】  図２
2019010396.tif 000002
【特許請求の範囲】
【請求項１】
開閉部の端部に口金が設けられ、該口金に突設された係止具にて該開閉部の開閉をするバッグであって、
上記口金に該口金を挟持する挟持部を備えた口金押さえが設けられ、
該口金押さえは挟持部と連結部とからなり、
該挟持部は幅の内寸が上記口金の幅の外寸と略同幅に形成され、かつ表面が被覆材にて被覆されてなり、
上記連結部は一端部が上記挟持部に連結されるとともに他端部が上記係止具に連結され、
上記口金押さえにて口金「閉」のとき該口金を挟持することを特徴とするバッグ。
【請求項２】
請求項１記載のバッグにおいて、上記口金押さえは挟持部が口金の中心から口金の一側部の略１／３乃至略１／２の部位に中点を位置するよう設けられることを特徴とするバッグ。
【請求項３】
請求項１又は請求項２記載のバッグにおいて、上記連結部の長さが調節自在であることを特徴とするバッグ。
【請求項４】
請求項１乃至請求項３のいずれか一記載のバッグにおいて、上記口金押さえの芯材が真鍮からなることを特徴とするバッグ。
【請求項５】
請求項１乃至請求項４のいずれか一記載のバッグにおいて、上記口金押さえの表面が皮革材にて被覆されることを特徴とするバッグ。
【発明の詳細な説明】
【技術分野】
【０００１】
本願発明は、開閉部の端部に口金が設けられ、該口金に突設された係止具にて該開閉部の開閉をするバッグに関し、とくに、開閉部の不測の開閉を防止するバッグに関する。
【背景技術】
【０００２】
この種、口金を有するバッグは、荷物等を入れる大型のバッグから小銭等を入れる小型の袋物（財布）にまで幅広く利用され種々の種類がある。
【０００３】
ところで、かかるバッグに収納部がパンパンに膨れ上がる程被収納物を収納した場合、口金は、係止具にて辛うじて係止されているだけなので、ふとした勢みに外力により不測に開口されることがあった。このような場合、バッグから荷物や小銭等が放出されるので、大なる不便となっていた。
【０００４】
かかる口金の不測の開口を防止する従来の技術は、例えば、口金にキーを付けるなどにより対処していた。
【０００５】
しかし、このような対応策では、ただでさえ小幅で小面積の口金にキーの開閉のための種々の設備を付けることになるため、口金構成が複雑となり、故障した場合口金が開閉できなくなるリスクがあった。
【０００６】
また構成が複雑になると、口金開閉の操作性が低下するおそれがあった。
【先行技術文献】
【特許文献】
【０００７】
【特許文献１】実開平７−１７１２２号公報
【発明の概要】
【発明が解決しようとする課題】
【０００８】
本願発明は上記背景に鑑み、バッグ収納部に被収納物が満載された場合であっても、バッグの不測の開口を防止することを目的とする。
【０００９】
また、バッグの不測の開口を防止することが、口金開閉の操作性に悪影響を与えないバッグを供することを目的とする。
【課題を解決するための手段】
【００１０】
上記目的達成のため、本願発明によるバッグは、開閉部の端部に口金が設けられ、該口金に突設された係止具にて該開閉部の開閉をするバッグであって、上記口金に該口金を挟持する挟持部を備えた口金押さえが設けられ、該口金押さえは挟持部と連結部とからなり、該挟持部は幅の内寸が上記口金の幅の外寸と略同幅に形成され、かつ表面が被覆材にて被覆されてなり、上記連結部は一端部が上記挟持部に連結されるとともに他端部が上記係止具に連結され、上記口金押さえにて口金「閉」のとき該口金を挟持することを特徴とする。
また、請求項１記載のバッグにおいて、上記口金押さえは挟持部が口金の中心から口金の一側部の略１／３乃至略１／２の部位に中点を位置するよう設けられることを特徴とする。
また、請求項１又は請求項２記載のバッグにおいて、上記連結部の長さが調節自在であることを特徴とする。
また、請求項１乃至請求項３のいずれか一記載のバッグにおいて、上記口金押さえの芯材が真鍮からなることを特徴とする。
また、請求項１乃至請求項４のいずれか一記載のバッグにおいて、上記口金押さえの表面が皮革材にて被覆されることを特徴とする。
【発明の効果】
【００１１】
本願発明によるバッグによれば、バッグ収納部に被収納物を収納し、係止具を操作して口金を「閉」とした後、口金押さえにて口金を挟持して使用するに際し、口金押さえの挟持部の幅の内寸ａが口金の幅の外寸ａ’と略同幅に形成されているので、収納部に被収納物が満載された状態で外力が負荷されたとしても、口金の開口圧が口金押さえにてブロックされるため、口金の不測の開口を防止することができる。
【００１２】
口金押さえは連結部にて係止具に連結されているため、口金押さえを捜すことなく口金の挟持操作をすることができる。また、バッグを開口する場合は、口金押さえを口金から取り外せばよいから、係止具の係止操作を従来通り簡単にすることができる。よって口金開閉の操作性に影響を与えることなく、開閉動作を円滑迅速にすることができる。
さらに、口金押さえは連結部にて係止具に長さ調節自在に連結されるから、開口圧をブロックする最適距離にて口金を挟持することができるので、口金の不測の開口を効果的に防止することができる。
【図面の簡単な説明】
【００１３】
【図１】本願発明によるバッグの実施の形態を示し、バッグの開口状態の側面図である。
【図２】図１の閉状態の正面図である。
【図３】図１の口金押さえの平面図である。
【図４】図３の底面図である。
【発明を実施するための形態】
【００１４】
次に、本願発明によるバッグ１を図面に基づいてさらに詳しく説明する。なお、便宜上同一の機能を奏する部分には同一の符号を付してその説明を省略する。
【００１５】
バッグ１は、開閉部の端部に口金３が設けられ、該口金３に突設された係止具５にて開閉部の開閉をする。上記口金３は対向片３ａ、３ｂが開閉自在に当接され、中心部に上記係止具５，５が突設される。２はバッグ１の本体をなす袋部である。
７は上記口金３が「閉」のとき該口金３を挟持する口金押さえである。該口金押さえ７は、幅の内寸ａが上記口金３の幅の外寸ａ’と略同幅に形成された挟持部１０と、先端部１４がフック状に形成されるとともに基端部が上記挟持部１０に連結される連結部１１とからなる。該連結部１１は、図３に示すように、連結孔１２ａ又は連結孔１２ｂに連結子１３を嵌合することにより長さ調節が自在となっており、上記フック状の先端部１４が口金３の係止具５に連結される。上記挟持部１０は真鍮製薄板の芯材８からなり、表面が被覆材９（本実施例ではピッグスエード）にて被覆される。
【００１６】
ここで口金押さえ７と口金３との関係につき説明する。口金３として市販されているのは、大型バッグ用の大型の口金と、財布等の小型バッグ用の小型の口金の２種類であり、その幅の外寸は前者では１１．２ｍｍ、後者では９ｍｍである。図示実施例は大型バッグ用の口金を表わすため、挟持部１０の幅ａ（図１に示す）が１１．２ｍｍに形成される。表１乃至表３は口金３に対し口金押さえ７をどの辺に設置すべきかをみた実験結果を示す。ここで口金３の半長ｂとは口金３の中心ｃから口金３の一側部の中点ｅまでの長さをいい、口金押さえ７のみなし全長ｄとは口金３の中心ｃから挟持部１０の中点ｆまでの長さをいう。また口金「閉」状態の様子において、「良好」とは口金押さえ７にて口金３の一側部（図２の左側部）を挟持した結果、他側部（図２の右側部）に隙間が生じなかったこと（挟持良好）をいい、「不良」とは他側部（図２の右側部）に隙間が生じたこと（挟持不良）をいう。
【００１７】
【表１】
2019010396.tif 000003
【００１８】
【表２】
2019010396.tif 000004
【００１９】
【表３】
2019010396.tif 000005
【００２０】
表１乃至表３より、口金押さえ７は口金３の中心、即ち係止具５に近すぎるとてこの原理が働かないため挟持不良となり、反対に口金３の端部側に近過ぎても挟持不良となり、挟持していない側（図２の右側部）が外圧により隙間が開くことが判る。
【００２１】
よって表１乃至表３より、口金押さえ７は挟持部１０が口金３の中心ｃから口金３の一側部ｅの略１／３乃至略１／２の部位に中点ｆを位置するよう設けられる。本実施例では、口金押さえ７のみなし全長ｄは４８ｍｍである。
【００２２】
上記実施の形態によれば、口金押さえ７の挟持部１０幅の内寸ａが口金３の幅の外寸ａ’と略同幅に形成されているので、収納部に被収納物が満載された状態で外力が負荷されたとしても、口金３の開口圧が口金押さえ７にてブロックされるため、口金３の不測の開口を防止することができる。口金押さえ７の挟持部１０は皮革材からなり、強度があって、かつ、摩擦係数が高いため口金３に対し滑らないため、収納部に被収納物が満載され開口圧がかかったとしても口金３の不測の開口を防止することができるのである。
【００２３】
また、表１乃至表３の結果からも判るように、口金押さえ７は連結部１１にて係止具５に長さ調節自在に連結されるから、開口圧をブロックする最適距離にて口金３を挟持することができるので、口金３の不測の開口を効果的に防止することができる。
【００２４】
さらに、口金押さえ７は連結部１１にて係止具５に連結されているため、口金押さえ７を捜すことなく口金３の挟持操作をすることができる。また、バッグ１を開口する場合は、口金押さえ７を口金３から取り外せばよいから、係止具５の係止操作を従来通り簡単にすることができる。よって口金開閉の操作性に影響を与えることなく、開閉動作を円滑迅速にすることができる。
【００２５】
本願発明は上記した実施の形態に制限されない。例えば、適用されるバッグは財布等の小型のバッグであってもよい。また挟持部１０の芯材８は強度のある素材であればよく、例えば、鉄、ステンレス等も用いることができる。また長さ調節をする連結部１１の連結孔の数は任意であり、さらには長さ調節の形状・態様も任意である。さらに先端部１４の形状は係止具５に連結可能であれば任意である。
【産業上の利用可能性】
【００２６】
本願発明は、口金押さえが広く各種バッグに適用できるので、開閉部の不測の開閉を防止するバッグとして広く活用することができる。
【符号の説明】
【００２７】
１      バッグ
２      袋部
３      口金
５      係止具
７      口金押さえ
８      芯材
９      被覆材
１０    挟持部
１１    連結部
１２ａ  連結孔
１２ｂ  連結孔
１３    連結子
１４    先端部
【図１】
2019010396.tif 000006
【図２】
2019010396.tif 000007
【図３】
2019010396.tif 000008
【図４】
2019010396.tif 000009